(57)【要約】【課題】複数の撮像装置の間で、ファイル番号を連番にして、撮像装置が常時他の装置と接続されていなくても、それぞれの撮像装置で撮影した画像を集めた時に、撮影順に画像を表示できるようにする。【解決手段】ファイル番号配布装置が、複数の撮像装置のファイル番号を管理し、それぞれの撮像装置で写真を撮影した時に、ファイル番号配布装置にファイル番号を発行してもらい、その番号で画像を保存する。撮像装置がファイル番号配布装置に接続できない場合は、仮番号で画像を保存し、ファイル番号配布装置に接続できた時点で、仮番号を正式番号にふり直す。【選択図】図３
2016005106.tif 000002
【特許請求の範囲】
【請求項１】
複数の撮像装置とファイル番号配布装置からなるシステムで、撮像装置はファイル番号配布装置に接続可能な時点で、撮影した画像のファイル番号を要求する手段と、ファイル番号配布装置からファイル番号が配布された場合に撮像装置内のファイルのファイル番号を付加する手段から構成され、ファイル番号配布装置は、ファイル番号を連番にする全撮像装置の一覧を記憶する手段と、撮像装置から要求があった場合に、過去の撮影日時とファイル番号を取得する手段と、取得した撮影日時とファイル番号から、ファイル番号を撮影順にふり直す手段と、撮像装置にファイル番号を付加するように要求する手段、から構成されるシステム。
【請求項２】
ファイル番号配布装置が配布するファイル番号が、撮像装置がファイル番号を連番にする前に撮影した画像のファイル番号と重ならないようにする手段から構成される請求項１に記載のシステム。
【請求項３】
ファイル番号配布装置が配布するファイル番号の開始を、全撮像装置から取得したファイル番号の最大値の次の値に決定する手段から構成される請求項２に記載のシステム。
【発明の詳細な説明】
【技術分野】
【０００１】
本発明は、複数の撮像装置でファイル番号を連番にするためのファイル番号配布に関する。
【背景技術】
【０００２】
カメラなどの撮像装置で写真を撮影し、画像を保存するときに、ファイルに対して撮影順にファイル番号が付加される。ファイル番号はファイル名に付加され、保存される。
【０００３】
ファイル表示を行うソフトウェアの多くは、ファイル名順にファイルを表示するので、通常、撮像装置で撮影された画像ファイルは撮影順に表示される。
【０００４】
しかし、複数の撮像装置で写真を撮影した場合、画像のファイル番号が、撮像装置ごとに付加されるため、後で画像を集めて表示した時に、撮影順に並ばない。例えば、近年、スマートフォンや一眼レフカメラの普及により、スマートフォンと一眼レフカメラを1台ずつ持ち歩くケースが増えている。
【０００５】
ＳＮＳ（ソーシャル・ネットーワーク・サービス）に画像をアップロードしたい場合はスマートフォンで撮影し、高品質の写真を撮影したい場合は、一眼レフカメラで撮影をする場合などがある。そのような場合に、スマートフォンで撮影した画像と一眼レフカメラで撮影した画像を後で同じフォルダに集めた場合、それぞれのデバイスごとにファイル番号が付加されるため、撮影順に並ばない。
【０００６】
撮影日時順にファイルを表示するソフトウェアも存在するが、ほとんどのソフトウェアはファイル名順に表示をおこなう。また、撮像装置内の時計がずれていると画像の撮影日時がずれてしまうので、撮影日順に表示しても、必ずしも撮影順に並ぶとは言えない。
【０００７】
複数の撮像装置で撮影した画像を後で集めた時に、同名ファイルがあるために混合してしまい、上書きされるおそれがあるので、ファイルに撮像装置固有の識別番号を付加したり、イベントごとの識別番号を付加してファイルを区別する(特許文献1)。
【先行技術文献】
【特許文献】
【０００８】
【特許文献１】特開２００６−１１５０６２号公報
【発明の概要】
【発明が解決しようとする課題】
【０００９】
本発明の目的は、複数の撮像装置の間で、ファイル番号を連番にして、撮像装置が常時他の装置と接続されていなくても、それぞれの撮像装置で撮影した画像を集めた時に、撮影順に画像を表示できるようにする。
【課題を解決するための手段】
【００１０】
本発明は、複数の撮像装置とファイル番号配布装置からなるシステムで、撮像装置はファイル番号配布装置に接続可能な時点で、撮影した画像のファイル番号を要求する手段と、ファイル番号配布装置からファイル番号が配布された場合に撮像装置内のファイルのファイル番号を付加する手段から構成され、ファイル番号配布装置は、ファイル番号を連番にする全撮像装置の一覧を記憶する手段と、撮像装置から要求があった場合に、過去の撮影日時とファイル番号を取得する手段と、取得した撮影日時とファイル番号から、ファイル番号を撮影順にふり直す手段と、撮像装置にファイル番号を付加するように要求する手段、から構成されるシステム、である。
【発明の効果】
【００１１】
本発明によれば、ファイル番号配布装置が、ファイル番号を管理し、撮像装置に発行することで、撮像装置とファイル番号配布装置が常時接続されていなくても、複数の撮像装置間で、ファイル番号を連番にすることができ、撮影順にファイルを表示できる。
【図面の簡単な説明】
【００１２】
【図１】本発明の一実施形態に係る撮影装置およびファイル番号配布装置の構成を示すブロック図である。
【図２】本発明の一実施形態にファイル番号配布装置の構成を示すブロック図である。
【図３】本発明の一実施形態に係るファイル番号配布装置と撮影装置の記憶領域に記憶されている内容と各装置のデータの流れを示す図である。
【図４】本発明の一実施形態に係る撮像装置とファイル番号配布装置の動作を示すフローチャート図である。
【図５】本発明の一実施形態に係る撮像装置の表示部に表示する画面を示す図である。
【図６】本発明の一実施形態に係る撮像装置とファイル番号配布装置の動作を示すフローチャート図である。
【図７】本発明の一実施形態に係る撮像装置とファイル番号配布装置の動作を示すフローチャート図である。
【図８】本発明の一実施形態に係るファイル番号配布装置がファイル番号を連番にするために必要なデータの構成図である。
【図９】本発明の一実施形態に係るファイル番号配布装置と撮影装置の記憶領域に記憶されている内容と各装置のデータの流れをを示す図である。
【図１０】本発明の一実施形態に係る撮像装置とファイル番号配布装置の動作を示すフローチャート図である。
【図１１】本発明の一実施形態に係る撮像装置とファイル番号配布装置の表示部に表示する画面を示す図である。
【図１２】本発明の一実施形態に係る撮像装置とファイル番号配布装置の動作を示すフローチャート図である。
【図１３】本発明の一実施形態に係る撮像装置とファイル番号配布装置の動作を示すフローチャート図である。
【図１４】本発明の一実施形態に係るファイル番号配布装置がファイル番号を連番にするために必要なデータの構成図である。
【発明を実施するための形態】
【００１３】
以下、本発明を実施するための形態を図面に基づいて説明する。
【実施例１】
【００１４】
カメラ等の撮像増装置が複数あり、その撮像装置間で、サーバーを利用してファイル番号を連番にする例を以下に示す。
【００１５】
図１は、本発明の一実施形態に係る撮像装置の構成を示すブロック図である。撮像装置１００は、光学系１０１と、撮像素子１０２と、ＣＰＵ１０３と、一次記憶装置１０４と、二次記憶装置１０５と、記憶媒体１０６と、表示部１０７と、操作部１０８と、通信装置１０９とから構成されている。
【００１６】
光学系１０１は、レンズ、シャッター、絞りから構成されていて、被写体からの光を適切な量とタイミングで撮像素子１０２に結像させる。撮像素子１０２は、光学系１０１を通って結像した光を画像に変換する。ＣＰＵ１０３は、入力された信号やプログラムに従って、各種の演算や、撮像装置１００を構成する各部分の制御を行う。一次記憶装置１０４は、一時的なデータを記憶し、ＣＰＵ１０３の作業用に使われる。
【００１７】
二次記憶装置１０５は、撮像装置１００を制御するためのプログラム（ファームウェア）や各種の設定情報などを記憶する。記憶媒体１０６は、撮影した画像データ、辞書データなどを記憶する。なお、撮影後に記憶媒体１０６は取り外すことが可能であり、パーソナルコンピュータ（以下、ＰＣ）などに装着してデータを読み出すことが可能である。
【００１８】
つまり、撮像装置１００は記憶媒体１０６へのアクセス手段を有し、記憶媒体１０６へのデータの読み書きが行えればよい。表示部１０７は、撮影時のビューファインダー画像の表示、撮影した画像の表示、対話的な操作のための文字表示などを行う。操作部１０８は、使用者の操作を受け付けるためのものである。操作部１０８は例えばボタンやレバー、タッチパネルなどを用いることが可能である。
【００１９】
通信装置１０９は、外部装置と接続し制御コマンドやデータの送受信を行う。接続を確立し、データ通信するためのプロトコルとしては、例えば、ＰＴＰ(Picture Transfer Protocol)やＭＴＰ(Media Transfer Protocol)が用いられる。
【００２０】
なお、前記通信装置１０９は、例えばＵＳＢ(Universal Serial Bus)ケーブルなどの有線接続により通信を行ってもよい。また、無線ＬＡＮなどの無線接続により通信を行ってもよい。また、外部装置と直接接続してもよいし、サーバを経由したり、インターネットなどのネットワークを介して外部装置と接続してもよい。
【００２１】
図２は、本発明の一実施形態に係るファイル番号配布装置の構成を示すブロック図である。ＰＣ２００は、表示部２０１と、操作部２０２と、ＣＰＵ２０３と、一次記憶装置２０４と、二次記憶装置２０５と、通信装置２０６とから構成されている。
【００２２】
各構成の基本的な機能は撮像装置１００と同様であるから、ここでは詳細な説明は省略する。なお、表示部２０１にはＬＣＤなどのディスプレイ装置が用いられる。また表示部２０１はＰＣ２００が備える必要はなく、ＰＣ２００は表示部２０１の表示を制御する表示制御機能を有していればよい。さらに、操作部２０２としては、キーボードやマウスなどを用いることが可能である。
【００２３】
図３は、本発明の一実施形態に係るファイル番号配布装置と撮影装置の記憶領域に記憶されている内容と各装置のデータの流れをを示す図である。ファイル番号配布装置３０００はサーバーで、３００１は二次記憶装置２０５に記憶されており、撮像装置から次に要求があった場合に発行する最新のファイル番号である。３００２は、二次記憶装置２０５に記憶されており、撮像装置から送信されてきた撮影日時とファイル番号配布装置が発行したファイル番号のリストである。
【００２４】
本実施例では、ファイル番号配布装置と撮像装置の内部に保持している時刻が一致している場合を例として、３００２は撮影日時とファイル番号を関連づけて、記載しているが、それぞれの撮像装置の時刻がずれていた場合でも、ファイル番号配布装置が保持している時刻に対して、それぞれの撮像装置の撮影日時とファイル番号を関連付けるリストにすればよい。
【００２５】
３１００は、撮像装置で、撮像装置３１００で撮影した画像３１０１〜３１０３と、ファイル番号配布装置へ接続するためのＵＲＬ３１０４が二次記憶装置１０５に記憶されている。３１０６、３２０８は、撮像装置のＩＤで撮像装置ごとに異なる。３２００も、撮像装置で、撮像装置３２００で撮影した画像３２０１〜３２０４と、ファイル番号配布装置へ接続するためのＵＲＬ３２０５が二次記憶装置１０５に記憶されている。
【００２６】
ＵＲＬ３１０４、３２０５は予めＰＣと撮像装置３１００、３２００を接続して書き込んだり、操作部１０８から入力してもよい。３２０６は、撮像装置３２００がファイル番号配布装置３０００に送信するファイルで、撮像装置３２００が写真を撮影してファイル番号配布装置３０００から番号を取得するときに、ファイル番号配布装置３０００に接続できなかった場合、画像を仮番号で保存するが、仮番号を正式番号にふり直すために送信する、仮番号と撮影日時のリストである。
【００２７】
３２０７は、ファイル番号配布装置３０００が撮像装置３２００に送信するファイルで、撮像装置３２００に保存されている仮番号の画像３２０２〜３２０４の名前を正式番号に書きかえるために、仮番号に対応した正式番号が記載されたリストである。３１０５は、ファイル番号配布装置３０００が撮像装置３１００に送信するファイルで、撮像装置３１００に保存されている画像３１０１〜３１０３の番号を書きかえるために、仮番号に対応した正式番号が記載されたリストである。
【００２８】
図４は、複数の撮像装置で画像のファイル番号を連番にするための、連番にする撮像装置をファイル番号配布装置に登録する動作を示すフローチャート図である。図５は、連番にする撮像装置をファイル番号配布装置に登録する時に撮像装置の表示装置に表示する画面である。図４のＳ１００１で、撮像装置３１００をユーザーが操作し、撮像装置３１００を連番モードに設定する。
【００２９】
設定は、図５の４００１のような画面を撮像装置３１００の表示部１０７に表示し、［はい］を選択することで行われる。４００１で［はい］を選択したら、撮像装置３１００の表示部１０７に４００２のように、連番モード（以下、複数の撮像装置でファイル番号を連番にすることを連番モードと呼ぶことにする）に登録する撮像装置のＩＤの一覧を表示する。Ｓ１００２で、撮像装置３１００のＩＤ（図５だと「ａａａ」）と撮像装置３１００内に保存している画像の名前のファイル番号の値が最大の番号をファイル番号配布装置３０００に送信する。
【００３０】
Ｓ１１０１で、ファイル番号配布装置３０００は、撮像装置からの要求を待っていて、Ｓ１００２やＳ１２０２でファイル番号の最大値と撮像装置のＩＤが送信されたら、Ｓ１１０２へ進む。Ｓ１１０２では、Ｓ１００２で送信された撮像装置３１００のＩＤをリスト３００２に追加する。Ｓ１１０３では、Ｓ１００２で送信されたファイル番号の最大値を３００１に保存し、Ｓ１１０１に戻り、他の撮像装置からの要求を待つ。
【００３１】
次に、撮像装置３２００も、同様にユーザーが操作し、撮像装置３２００を連番モードに設定する。設定は、撮像装置３１００同様、図５の４１０１のような画面を撮像装置３１００の表示部１０７に表示し、［はい］を選択することで行われるが、撮像装置３２００は二台目なので、４００３のような画面は表示せず、４１０２を表示する。このとき、撮像装置３１００は、ファイル番号配布装置３０００から連番モード登録中の撮像装置のＩＤを取得し、４００３のように表示する。
【００３２】
Ｓ１２０２では、Ｓ１００２同様、撮像装置３２００が、ファイル番号配布装置３０００にファイル番号の最大値と撮像装置３２００のＩＤを送信する。ファイル番号配布装置は、Ｓ１１０２で、Ｓ１２０２で送信された撮像装置３２００のＩＤをリストに追加し、Ｓ１１０３では、Ｓ１２０２で送信されたファイル番号の最大値と、既に保存されている３００１の値を比較し、大きい方を３００１に保存する。
【００３３】
図４は、撮像装置が二台の例だが、三台目以降の撮像装置があった場合も撮像装置３２００と同じ作業を行う。登録の完了を行う際は、Ｓ１００３で、ユーザー操作により登録を完了する。登録の完了は、図５の４００３の画面で［登録完了］を選択することで行われる。［登録完了］が選択されたら、Ｓ１００４で、登録が完了したことをファイル番号配布装置３０００に通知する。ファイル番号配布装置３０００は、Ｓ１１０４で通知を待っており、通知があったら、Ｓ１１０５に進む。
【００３４】
図４では、わかりやすくするために、Ｓ１１０１とＳ１１０４を分けて記載しているが、撮像装置からの要求を待っていることに変わりなく、撮像装置からの要求に応じて、Ｓ１１０２に進むか、Ｓ１１０５に進むか判断する。
【００３５】
Ｓ１１０５では、ファイル番号の最大値３００１をインクリメントする。Ｓ１１０５の動作により、複数ある撮像装置に保存している画像のファイル番号の最大値の次の値から連番モードが開始されるので、連番モードが開始されても既に保存している画像のファイル番号と重なることがなくなる。Ｓ１１０６では、連番モードを開始することを撮像装置３１００と３２００に通知し、Ｓ１００５、Ｓ１２０３で連番モードが開始される。
【００３６】
図６は、連番モード開始後、撮像装置で撮影時のファイル番号配布装置からの番号の取得動作を示すフローチャート図である。撮像装置３２００とファイル番号配布装置３０００を例に説明するが、フローチャートの左側のフローは連番モードにする全ての撮像装置の動作である。
【００３７】
Ｓ２００１で、ユーザーが撮像装置のシャッターを押下したかどうかを待っていて、シャッターが押された場合、Ｓ２００２で撮影をする。Ｓ２００３で、ファイル番号配布装置３０００に接続可能か確認し、接続できなかった場合は、Ｓ２００４で、画像ファイルを仮番号で保存しＳ２００１に戻る。図３の３２０２の例だと、ファイル名に「ｔｍｐ」などをつけ仮番号としている。
【００３８】
Ｓ２００３でファイル番号配布装置３０００に接続可能な場合は、Ｓ２００５で、ファイル番号配布装置３０００に撮像装置のＩＤ３２０８とＳ２００２で撮影した画像の撮影日時のデータを送信する。撮影日時は画像データ３２０２の中に埋め込まれおり、ファイル番号配布装置に送信するときは、撮像装置のＩＤと撮影日時だけのテキストデータに変換して送信する。
【００３９】
ファイル番号配布装置３０００は、Ｓ２１０１で撮像装置からの要求を待っていて、Ｓ２００５で撮像装置から撮影日時が送信された場合は、Ｓ２１０２で、３００２のリストに、撮影日時が送信された撮像装置のＩＤの列に追加する。Ｓ２１０３で、ファイル番号配布装置３０００は、撮像装置３２００に３００１のファイル番号データを送信する。Ｓ２１０４では、３００１の番号をインクリメントし（３００１の例だと、５４になっているので５５にする）、Ｓ２１０１に戻る。
【００４０】
撮像装置３２００は、Ｓ２００６で、ファイル番号配布装置３０００から送信された３００１のファイル番号をＳ２００２で撮影した画像のファイル名に付加し（ファイル番号配布装置３０００から送信された番号が「００５０」の場合３２０１の例だと、「ＩＭＧ＿００５０．ｊｐｇ」というファイル名にする）、Ｓ２００１に戻る。
【００４１】
図７は、撮像装置内に仮番号のファイルが作成された場合に仮番号を正式番号にふり直す動作を示すフローチャート図である。撮像装置３２００は、Ｓ３００１でファイル番号配布装置３０００に接続可能か確認し、接続可能な場合は、Ｓ３００２に進む。Ｓ３００２で、３２０２〜３２０４のような仮番号の画像が撮像装置内に存在するか確認し、存在しない場合は終了する。存在した場合は、Ｓ３００３で、ファイル番号配布装置３０００に、撮像装置３２００のＩＤ３２０８と撮影日時と仮番号のリスト３２０６を送信する。
【００４２】
ファイル番号配布装置３０００は、Ｓ３１０１で撮像装置からの要求を待っており、要求があった場合は、Ｓ３１０２に進む。Ｓ３１０２では、３００２のリストと３２０６のリストから仮番号に対して正式番号をつけ直し、撮影日時順に連番にする。具体的には、３００２と３２０６のリストをマージして、撮影日時順に並べ、図８の５００１のようにする。
【００４３】
その後、撮影日時順に再度番号をふり直し、５００２にのように変換する。Ｓ３１０３で、撮像装置３２００には番号をふり直すための３２０７のリスト、撮像装置３１００には、３１０５のリストを送信する。
【００４４】
Ｓ３００４で、撮像装置３２００はファイル番号配布装置３０００から送信されたリスト３２０７を参照し、３２０２〜３２０４のファイル名を「ＩＭＧ＿ｔｍｐ０００１．ｐｎｇ」から「ＩＭＧ＿００５２．ｐｎｇ」へ変更する。また、「ＩＭＧ＿ｔｍｐ０００２．ｐｎｇ」から「ＩＭＧ＿００５４．ｐｎｇ」へ、「ＩＭＧ＿ｔｍｐ０００３．ｐｎｇ」から「ＩＭＧ＿００５６．ｐｎｇ」へ変更する。撮像装置３１００も同様に、３１０５を参照し、画像３１０２と３１０３のファイル名を変更する。
【００４５】
上述のように、撮像装置で撮影する際に、ファイル番号配布装置から番号を取得することで、複数の撮像装置間で、画像ファイル名を連番にすることができるので、後から画像ファイルを集めた場合、撮影順にファイルを表示することができる。また、常時、ファイル番号配布装置に接続できなくても、後から番号をふり直すことが可能なので、一つの撮像装置はネットワークにつながる環境、もう一つの撮像装置はネットワークにつながらない環境にあった場合でもファイル名を連番にすることができる。
【実施例２】
【００４６】
実施例１では、サーバーを利用して、ファイル番号を連番にする例を説明したが、実施例２では、撮像装置と一緒に携帯するスマートフォンを利用して、複数の撮像装置とスマートフォンの間でファイル番号を連番にする例を示す。以下の例では、スマートフォンは撮影機能を備えていることとする。
【００４７】
図９は、本発明の一実施形態に係るファイル番号配布装置と撮影装置の記憶領域に記憶されている内容と各装置のデータの流れをを示す図である。ファイル番号配布装置６０００はスマートフォンで、６００１は二次記憶装置１０５に記憶されており、撮像装置から次に要求があった場合に発行する最新のファイル番号である。６００２は、二次記憶装置１０５に記憶されており、撮像装置から送信されてきた撮影日時とファイル番号配布装置が発行したファイル番号のリストである。
【００４８】
本実施例では、ファイル番号配布装置と撮像装置の内部に保持している時刻が一致している場合を例として、６００２は撮影日時とファイル番号を関連づけて記載している。しかし、それぞれの撮像装置の時刻がずれていた場合でも、ファイル番号配布装置が保持している時刻に対して、それぞれの撮像装置の撮影日時とファイル番号を関連付けるリストにすればよい。
【００４９】
ファイル番号配布装置６０００は、撮像機能も備えており、撮影した画像６００３〜６００５が二次記憶装置１０５に記憶されている。６００６、６１０８は、撮像装置のＩＤで撮像装置ごとに異なる。６１００は、撮像装置で、撮像装置６１００で撮影した画像６１０１〜６１０４と、ファイル番号配布装置へ接続するためのＵＲＬ６１０５が二次記憶装置１０５に記憶されている。
【００５０】
ＵＲＬ６１０５は予めＰＣと撮像装置６１００を接続して書き込んだり、操作部１０８から入力してもよい。６１０６は、撮像装置６１００がファイル番号配布装置６０００に送信するファイルである。撮像装置６１００が写真を撮影してファイル番号配布装置６０００から番号を取得するときに、ファイル番号配布装置６０００に接続できなかった場合、画像を仮番号で保存するが、仮番号を正式番号にふり直すために送信する、仮番号と撮影日時のリストである。
【００５１】
６１０７は、ファイル番号配布装置６０００が撮像装置６１００に送信するファイルで、撮像装置６１００に保存されている仮番号の画像６１０２〜６１０４の名前を正式番号に書きかえるために、仮番号に対応した正式番号が記載されたリストである。
【００５２】
図１０は、複数の撮像装置で画像のファイル番号を連番にするための、連番にする撮像装置をファイル番号配布装置に登録する動作を示すフローチャート図である。図１１は、連番にする撮像装置をファイル番号配布装置に登録する時に撮像装置の表示装置に表示する画面である。
【００５３】
図１０のＳ４００１で、ファイル番号配布装置６０００をユーザーが操作し、ファイル番号配布装置６０００を連番モードに設定する。設定は、図１０の７００１のような画面をファイル番号配布装置６０００の表示部１０７に表示し、［はい］を選択することで行われる。７００１で［はい］を選択したら、ファイル番号配布装置６０００の表示部１０７に７００２のように、連番モードに登録する撮像装置のＩＤの一覧を表示する。
【００５４】
Ｓ４００２で、ファイル番号配布装置６０００のＩＤ（図１１だと「ａａａ」）を６００２のリストに登録し、ファイル番号配布装置６０００内に保存している画像の名前のファイル番号の値が最大の番号を６００１に登録する。Ｓ４００３で、ファイル番号配布装置６０００は、撮像装置からの要求を待っていて、Ｓ４１０２でファイル番号の最大値と撮像装置のＩＤが送信されたら、Ｓ４００４へ進む。
【００５５】
Ｓ４１０２でファイル番号の最大値と撮像装置のＩＤを送信する手段は、Ｓ４１０１でユーザーが操作し、撮像装置６１００を連番モードに設定する。設定は、図１１の７１０１のような画面を撮像装置６１００の表示部１０７に表示し、［はい］を選択することで行われるが、撮像装置６１００はファイル番号配布装置を含めると二台目なので、７００３のような画面は表示せず、７１０２を表示する。
【００５６】
このとき、ファイル番号配布装置６０００は、７００３のように表示する。Ｓ４００４では、Ｓ４１０２で送信された撮像装置６１００のＩＤをリスト６００２に追加する。Ｓ４００５では、Ｓ４１０２で送信されたファイル番号の最大値と既に登録されている６１００の値を比較し、大きい方を６００１に保存し、Ｓ４００３に戻り、他の撮像装置からの要求を待つ。
【００５７】
図１０は、ファイル番号配布装置を含む撮像装置が二台の例だが、三代目以降の撮像装置があった場合も撮像装置６１００と同じ作業を行う。登録の完了を行う際は、Ｓ４００６で、ユーザー操作により登録を完了する。登録の完了は、図１１の７００３の画面で［登録完了］を選択することで行われる。［登録完了］が選択されたら、Ｓ４００７で、ファイル番号の最大値６００１をインクリメントする。
【００５８】
Ｓ４００７の動作により、複数ある撮像装置に保存している画像のファイル番号の最大値の次の値から連番モードが開始されるので、連番モードが開始されても既に保存している画像のファイル番号と重なることがなくなる。Ｓ４００８で、連番モードを開始することを撮像装置６１００に通知し、Ｓ４００９、Ｓ４１０３で連番モードが開始される。
【００５９】
図１２は、連番モード開始後、撮像装置で撮影時のファイル番号配布装置からの番号の取得動作を示すフローチャート図である。撮像装置６１００とファイル番号配布装置３０００を例に説明するが、フローチャートの左側のフローは連番モードにする全ての撮像装置の動作である。Ｓ５００１で、ユーザーが撮像装置のシャッターを押下したかどうかを待っていて、シャッターが押された場合、Ｓ５００２で撮影をする。
【００６０】
Ｓ５００３で、ファイル番号配布装置６０００に接続可能か確認し、接続できなかった場合は、Ｓ５００４で、画像ファイルを仮番号で保存し５２００１に戻る。図９の６１０２の例だと、ファイル名に「ｔｍｐ」などをつけ仮番号としている。Ｓ５００３でファイル番号配布装置６０００に接続可能な場合は、Ｓ５００５で、ファイル番号配布装置６０００に撮像装置のＩＤ６１０８とＳ５００２で撮影した画像の撮影日時のデータを送信する。撮影日時は画像デー６１０２の中に埋め込まれおり、ファイル番号配布装置に送信するときは、撮像装置のＩＤと撮影日時だけのテキストデータに変換して送信する。
【００６１】
ファイル番号配布装置６０００は、Ｓ５１０１で撮像装置からの要求を待っていて、Ｓ５００５で撮像装置から撮影日時が送信された場合は、Ｓ５１０２で、６００２のリストに、撮影日時が送信された撮像装置のＩＤの列に追加する。Ｓ５１０３で、ファイル番号配布装置６０００は、撮像装置６１００に６００１のファイル番号データを送信する。Ｓ５１０４では、６００１の番号をインクリメントし（６００１の例だと、５４になっているので５５にする）、Ｓ５１０１に戻る。
【００６２】
撮像装置６１００は、Ｓ５００６で、ファイル番号配布装置６０００から送信された６００１のファイル番号をＳ５００２で撮影した画像のファイル名に付加し（ファイル番号配布装置６０００から送信された番号が「００５０」の場合６１０１の例だと、「ＩＭＧ＿００５０．ｊｐｇ」というファイル名にする）、Ｓ５００１に戻る。実施例２では、ファイル番号配布装置６０００も撮影を行うことができるが、その場合、撮影した画像の撮影日時を６００２のリストに追加し、画像のファイル名に６００１の番号をつければよい。
【００６３】
図１３は、撮像装置内に仮番号のファイルが作成された場合に仮番号を正式番号にふり直す動作を示すフローチャート図である。撮像装置６１００は、Ｓ６００１でファイル番号配布装置６０００に接続可能か確認し、接続可能な場合は、Ｓ６００２に進む。Ｓ６００２で、６２０２〜６２０４のような仮番号の画像が撮像装置内に存在するか確認し、存在しない場合は終了する。存在した場合は、Ｓ６００３で、ファイル番号配布装置６０００に、撮像装置６１００のＩＤ６１０８と撮影日時と仮番号のリスト６１０６を送信する。
【００６４】
ファイル番号配布装置６０００は、Ｓ６１０１で撮像装置からの要求を待っており、要求があった場合は、Ｓ６１０２に進む。Ｓ６１０２では、６００２のリストと６１０６のリストから仮番号に対して正式番号をつけ直し、撮影日時順に連番にする。具体的には、６００２と６１０６のリストをマージして、撮影日時順に並べ、図１４の８００１のようにする。その後、撮影日時順に再度番号をふり直し、８００２にのように変換する。
【００６５】
Ｓ６１０３で、撮像装置６１００には番号をふり直すための６１０７のリストを送信する。Ｓ５００４で、撮像装置６１００はファイル番号配布装置６０００から送信されたリスト６１０７を参照する。そして、６１０２〜６１０４のファイル名を「ＩＭＧ＿ｔｍｐ０００１．ｐｎｇ」から「ＩＭＧ＿００５２．ｐｎｇ」へ変更する。また、「ＩＭＧ＿ｔｍｐ０００２．ｐｎｇ」から「ＩＭＧ＿００５４．ｐｎｇ」へ、「ＩＭＧ＿ｔｍｐ０００３．ｐｎｇ」から「ＩＭＧ＿００５６．ｐｎｇ」へ変更する。Ｓ６１０４で、８００２を参照して、画像６００４と６００５のファイル名を変更する。
【００６６】
上述のように、撮像装置で撮影する際に、ファイル番号配布装置から番号を取得することで、複数の撮像装置間で、画像ファイル名を連番にすることができるので、後から画像ファイルを集めた場合、撮影順にファイルを表示することができる。また、常時、ファイル番号配布装置に接続できなくても、後から番号をふり直すことが可能なので、一つの撮像装置はネットワークにつながる環境、もう一つの撮像装置はネットワークにつながらない環境にあった場合でもファイル名を連番にすることができる。
【００６７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００６８】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６９】
１００  撮像装置、１０１  光学系、１０２  撮像素子、１０３  ＣＰＵ、
１０４  一次記憶装置、１０５  二次記憶装置、１０６  記憶媒体、
１０８  操作部、１０９  通信装置
【図１】
2016005106.tif 000003
【図２】
2016005106.tif 000004
【図３】
2016005106.tif 000005
【図４】
2016005106.tif 000006
【図５】
2016005106.tif 000007
【図６】
2016005106.tif 000008
【図７】
2016005106.tif 000009
【図８】
2016005106.tif 000010
【図９】
2016005106.tif 000011
【図１０】
2016005106.tif 000012
【図１１】
2016005106.tif 000013
【図１２】
2016005106.tif 000014
【図１３】
2016005106.tif 000015
【図１４】
2016005106.tif 000016